(57)【要約】【課題】部品点数を少なく、かつ取付け作業及びメンテナンス時などの取外し作業を容易に行い得るようにしながら、搬送時での基板ケースのがたつきに起因する破損の防止化及び不正行為の防止化を図る。【解決手段】遊技制御に関連する複数の基板を各々収容する複数の基板ケース１２〜１５を、筐体の取付け面１１に対し係止構造１６により取り付ける。係止構造を、各基板ケースを単独で取り付けるとき基板ケースを筐体の取付け面上で取外し可能な取外し位置と取外し不能なロック位置との間での移動を許容するように構成する。複数の基板ケースを所定の順番で取り付けるとき、少なくとも順番の前後する２つの基板ケース同士では取外し位置とロック位置との間の移動方向が互いに交差するように設定するとともに、後に取り付けた基板ケースの取り付けにより先に取り付けた基板ケースのロック位置から取外し位置への移動を規制する移動規制手段５３を備える。【選択図】図１
2008259597.tif 000002
【特許請求の範囲】
【請求項１】
遊技制御に関連する複数の基板を各々収容する複数の基板ケースが、筐体の取り付け面に対し、係止構造により取り付けられた遊技機において、
上記係止構造は、各基板ケースを単独で取り付けるとき基板ケースを筐体の取り付け面上で取り外し可能な取り外し位置と取り外し不能なロック位置との間での移動を許容するように構成されており、
上記複数の基板ケースを所定の順番で取り付けるとき、少なくとも順番の前後する２つの基板ケース同士では取り外し位置とロック位置との間の移動方向が互いに交差するように設定されているとともに、後に取り付けた基板ケースの取り付けにより先に取り付けた基板ケースのロック位置から取り外し位置への移動を規制する移動規制手段を備えたことを特徴とする遊技機。
【請求項２】
上記係止構造は、各基板ケースの底蓋裏面にそれぞれ突設されたフック部と、筐体の取り付け面を構成する取り付け板に設けられた複数の係止孔とを有し、各係止孔は、フック部全体が嵌合し、基板ケースを取り付け板に対し垂直方向に移動させることが可能な取り外し位置となる大孔部と、この大孔部と連続しかつフック部の一部のみが嵌合して基板ケースの取り付け板に対する垂直方向の移動を規制するロック位置となるスリット部とからなる請求項１記載の遊技機。
【請求項３】
上記複数の基板ケースは、少なくとも取り付け順番の前後するもの同士の間で一部が接触又は近接した状態で取り付けられており、上記移動規制手段は、後に取り付けた基板ケースにより構成されてなる請求項２記載の遊技機。
【請求項４】
取り付け順番の前後する２つの基板ケースの少なくとも一方には、他方の基板ケースの一部を覆うカバー部が形成されている請求項３記載の遊技機。
【請求項５】
上記カバー部は、基板ケースの天蓋と底蓋とを結合するための結合部を覆うものである請求項４記載の遊技機。
【請求項６】
上記カバー部は、基板ケースの天蓋に設けた開口部及びその開口部から露見する基板側のコネクタを覆うものである請求項４記載の遊技機。
【請求項７】
上記移動規制手段は、筐体の取り付け板の裏面側に第１位置と第２位置との間を移動可能に設けられた規制部材と、この規制部材を第１位置に位置付けるように常時付勢する付勢部材とを有し、上記規制部材は、後に取り付けた基板ケースの取り付けに伴って上記付勢部材の付勢力に抗して第２位置に移動し、この第２位置で先に取り付けた基板ケースのフック部が取り付け板の係止孔のスリット部から大孔部に移動するのを阻止するように構成されている請求項２記載の遊技機。
【請求項８】
遊技制御に関連する複数の基板を各々収容する複数の基板ケースが、筐体の取り付け面に対し、係止構造により取り付けられた遊技機において、
上記係止構造は、各基板ケースの底蓋裏面にそれぞれ突設されたフック部と、筐体の取り付け面を構成する取り付け板に設けられた上記フック部が挿入可能な複数の挿入孔と、上記取り付け板の裏面側に一方向に往復移動可能に設けられた可動板と、この可動板に上記各挿入孔にそれぞれ対応して設けられた複数の係止孔とを有し、各係止孔は、フック部全体が嵌合し、基板ケースを取り付け板に対し垂直方向に移動させることが可能な大孔部と、この大孔部に連続しかつフック部の一部のみが嵌合して基板ケースの取り付け板に対する垂直方向の移動を規制するスリット部とからなり、スリット部は、可動板の移動方向に細長いもので、その長さは係止孔毎に異なる長さに設定されており、
上記複数の基板ケースを順番に取り付けるときスリット部の長さが長い係止孔から順に係止孔の大孔部を取り付け板の挿入孔と一致させ、この挿入孔及び係止孔の大孔部に基板ケースのフック部を挿入した後、可動板の移動により基板ケースのフック部を係止孔のスリット部に嵌合させて基板ケースを取り外し不能にロックする構成になっていることを特徴とする遊技機。
【発明の詳細な説明】
【技術分野】
【０００１】
本発明は、パチンコ機やスロットマシンなどの遊技機に関し、特に、遊技制御に関連する複数の基板を各々収納する複数の基板ケースを筐体の取り付け面に取り付ける場合の構造に係わる。
【背景技術】
【０００２】
近年、遊技機においては、遊技制御に関連する複数の基板が装備されており、これらの基板は、それぞれ基板ケース内に収容した上で筐体の取り付け面に互いに近接した状態で取り付けられることがある。例えばパチンコ機の場合、主制御基板を収容する主制御基板ケース及び払出制御基板を収容する払出制御基板ケースなどが、筐体背面側の機構枠体の表面に取り付けられている。また、スロットマシンの場合、主制御基板を収容する主制御基板ケース及び中継基板を収容する中継基板ケースなどが、筐体の奥壁部の内面に取り付けられている。
【０００３】
そして、このような基板ケースの取り付け構造としては、種々のものが提案され、実用化されている。例えば特許文献１には、基板ケースの一端を支持する係止部材と、基板ケースの他端を支持する係脱型係止部材とを設けるだけでなく、基板ケース及び筐体の取り付け面の双方に、基板ケースを取り付けた状態で互いに係合する係合手段を設け、この係合手段によって基板ケースの係脱型係止部材側への移動を阻止し、搬送時に基板ケースのがたつきに起因して係脱型係止部材が破損するのを防止することが開示されている。また、特許文献２には、不正行為の痕跡が明瞭に残ることで不正行為を効果的に防止するために、筐体の取り付け面に取り付けられたプレートにピン状のカシメフックを突設するとともに、基板ケースに、このカシメフックを差し込み可能なカシメフック孔を設け、この両者により基板ケースを引き抜き不能な状態で取り付けるようにすることが開示されている。
【特許文献１】実開平６−２１６７２号公報
【特許文献２】特開２００１−７０５８０号公報
【発明の開示】
【発明が解決しようとする課題】
【０００４】
ところが、上記従来の取り付け構造は、いずれも１つの基板ケースを個別に筐体の取り付け面に取り付ける場合を想定したものであるため、複数の基板ケースを同一の取り付け面に互いに近接した状態で取り付ける場合には必ずしも適切なものとは言えず、部品点数が多くなったり、取り付け作業に手間がかかったりするなどの問題がある。特に、後者のものでは、メンテナンスなどのために基板ケースを取り外すときには、カシメフックを破壊しなければならず、その作業に手間がかかるという問題もある。
【０００５】
本発明はかかる点に鑑みてなされたものであり、その課題とするところは、複数の基板ケースを同一の取り付け面に互いに近接した状態で取り付ける場合に適した取り付け構造を用いることにより、部品点数を少なく、かつ取り付け作業及びメンテナンス時などの取り外し作業を容易に行い得るようにしながら、搬送時での基板ケースのがたつきに起因する破損の防止化及び不正行為の防止化を図り得る遊技機を提供せんとするものである。
【課題を解決するための手段】
【０００６】
上記の課題を解決するため、請求項１に係る発明は、遊技制御に関連する複数の基板を各々収容する複数の基板ケースが、筐体の取り付け面に対し、係止構造により取り付けられた遊技機において、上記係止構造を、各基板ケースを単独で取り付けるとき基板ケースを筐体の取り付け面上で取り外し可能な取り外し位置と取り外し不能なロック位置との間での移動を許容するように構成し、また、上記複数の基板ケースを所定の順番で取り付けるとき、少なくとも順番の前後する２つの基板ケース同士では取り外し位置とロック位置との間の移動方向が互いに交差するように設定するとともに、後に取り付けた基板ケースの取り付けにより先に取り付けた基板ケースのロック位置から取り外し位置への移動を規制する移動規制手段を備える構成にする。
【０００７】
この構成では、筐体の同一の取り付け面に取り付けられた複数の基板ケースは、係止構造によりそれぞれ筐体の取り付け面上で取り外し可能な取り外し位置と取り外し不能なロック位置との間での移動が許容されつつ、取り付け順番の前後する２つの基板ケース同士では取り外し位置とロック位置との間の移動方向が互いに交差し、かつ移動規制手段によって後に取り付けた基板ケースの取り付けにより先に取り付けた基板ケースのロック位置から取り外し位置への移動が規制されているため、払出制御基板など不正行為の対象になり易い基板を収容する基板ケースを取り付け順番の１番目に設定している場合、他の基板ケース全てを取り外した後でなければ１番目の基板ケースを取り外すことができなくなり、その分不正行為を防止することができる。また、先に取り付けた基板ケースは、係止構造以外に、移動規制手段によってロック位置から取り外し位置への移動が規制されているため、搬送時に基板ケースががたつくことをも防止することができる。
【０００８】
しかも、従来の如く複数の基板ケースをそれぞれ個別に取り付けかつ不正行為の防止対策などを講じる場合よりも部品点数が少なくて済む。さらに、基板ケースの取り付けは、係止構造を用いているため、その作業を容易に行うことができる。また、メンテナンス時などには取り付け順番とは逆の順番によって複数の基板ケースを取り外すことができ、カシメフックなどを破壊する必要はなく、その分取り外し作業をも容易に行うことができる。
【０００９】
請求項２に係る発明は、請求項１記載の遊技機において、上記係止構造の好ましい具体的な形態を提供するものである。すなわち、係止構造は、各基板ケースの底蓋裏面にそれぞれ突設されたフック部と、筐体の取り付け面を構成する取り付け板に設けられた複数の係止孔とを有し、各係止孔は、フック部全体が嵌合し、基板ケースを取り付け板に対し垂直方向に移動させることが可能な取り外し位置となる大孔部と、この大孔部と連続しかつフック部の一部のみが嵌合して基板ケースの取り付け板に対する垂直方向の移動を規制するロック位置となるスリット部とからなる構成にする。この構成では、係止構造が簡単なものであるだけでなく、各基板ケースの底蓋裏面を筐体の取り付け板上に接触させた状態のままスライドさせてフック部を係止孔の大孔部又はスリット部に嵌合させることだけでもって各基板ケースの取り付け及び取り外しを容易にかつ確実に行うことができる。
【００１０】
請求項３に係る発明は、請求項２記載の遊技機において、上記複数の基板ケースを、少なくとも取り付け順番の前後するもの同士の間で一部が接触又は近接した状態で取り付け、上記移動規制手段を、後に取り付けた基板ケースにより構成する。この構成では、取り付け順番の前後する基板ケース同士の間で一部が接触又は近接し、後に取り付けた基板ケースにより移動規制手段が構成されているため、基板ケースの取り付けのための部品点数を可及的に少なくすることができる。
【００１１】
請求項４に係る発明は、請求項３記載の遊技機において、取り付け順番の前後する２つの基板ケースの少なくとも一方に、他方の基板ケースの一部を覆うカバー部を形成する構成にする。この構成では、取り付け順番の前後する２つの基板ケース間で一部が接触又は近接して移動規制機能を発揮するだけでなく、一方の基板ケースに形成したカバー部によって他方の基板ケースの一部が覆われた状態で取り付けられているため、不正行為の防止化をより図ることができる。
【００１２】
請求項５及び請求項６に係る発明は、いずれも上記カバー部により覆うべき基板ケースの一部を限定したものである。すなわち、請求項５に係る発明は、上記カバー部により、基板ケースの天蓋と底蓋とを結合するための結合部を覆う構成にする。また、請求項６に係る発明は、上記カバー部により、基板ケースの天蓋に設けた開口部及びその開口部から露見する基板側のコネクタを覆う構成にする。
【００１３】
請求項７に係る発明は、請求項２記載の遊技機において、上記移動規制手段を、筐体の取り付け板の裏面側に第１位置と第２位置との間を移動可能に設けられた規制部材と、この規制部材を第１位置に位置付けるように常時付勢する付勢部材とによって構成し、上記規制部材を、後に取り付けた基板ケースの取り付けに伴って上記付勢部材の付勢力に抗して第２位置に移動させ、この第２位置で先に取り付けた基板ケースのフック部が取り付け板の係止孔のスリット部から大孔部に移動するのを阻止するように構成する。この構成では、取り付け順番の前後する２つの基板ケースが互い離れている場合でも、後に取り付けた基板ケースの取り付けに伴って移動規制手段の規制部材が第１位置に位置付けるための付勢部材の付勢力に抗して第２位置に移動し、この第２位置で先に取り付けた基板ケースのフック部が取り付け板の係止孔のスリット部から大孔部に移動するのを阻止するようになり、先に取り付けた基板ケースのロック位置から取り外し位置への移動が確実に規制される。このため、複数の基板ケースの取り付け位置の自由度を高めることができる。
【００１４】
請求項８に係る発明は、請求項１に係る発明と同じ課題を解決するために、遊技制御に関連する複数の基板を各々収容する複数の基板ケースが、筐体の取り付け面に対し、係止構造により取り付けられた遊技機において、以下のような構成にする。
【００１５】
すなわち、上記係止構造は、各基板ケースの底蓋裏面にそれぞれ突設されたフック部と、筐体の取り付け面を構成する取り付け板に設けられた上記フック部が挿入可能な複数の挿入孔と、上記取り付け板の裏面側に一方向に往復移動可能に設けられた可動板と、この可動板に上記各挿入孔にそれぞれ対応して設けられた複数の係止孔とを有し、各係止孔は、フック部全体が嵌合し、基板ケースを取り付け板に対し垂直方向に移動させることが可能な大孔部と、この大孔部に連続しかつフック部の一部のみが嵌合して基板ケースの取り付け板に対する垂直方向の移動を規制するスリット部とからなる。スリット部は、可動板の移動方向に細長いもので、その長さは係止孔毎に異なる長さに設定されている。そして、上記複数の基板ケースを順番に取り付けるときスリット部の長さが長い係止孔から順に係止孔の大孔部を取り付け板の挿入孔と一致させ、この挿入孔及び係止孔の大孔部に基板ケースのフック部を挿入した後、可動板の移動により基板ケースのフック部を係止孔のスリット部に嵌合させて基板ケースを取り外し不能にロックする構成にする。
【００１６】
この構成では、複数の基板ケースを筐体の取り付け面を構成する取り付け板に対し係止構造により取り付けるときには、その係止構造における可動板の複数の係止孔の中でスリット部の長さが長い係止孔から順に係止孔の大孔部を取り付け板の挿入孔と一致させ、この挿入孔及び係止孔の大孔部に基板ケースのフック部を挿入した後、可動板の移動により基板ケースのフック部を係止孔のスリット部に嵌合させて基板ケースを取り外し不能にロックするという手順を繰り返すことにより、全ての基板ケースを取り付けることができる。その際、払出制御基板など不正行為の対象になり易い基板を収容する基板ケースを取り付け順番の１番目に設定している場合、他の基板ケース全てを取り外した後でなければ１番目の基板ケースを取り外すことができなくなり、その分不正行為を防止することができる。また、係止構造は、基板ケースのフック部が取り付け板の挿入孔と可動板の係止孔の双方に跨って係止するものであるため、単に基板ケースのフック部が取り付け板の係止孔に係止するものに比べて係止状態の強度を高めることができ、搬送時に基板ケースががたつくことをも防止することができる。
【００１７】
しかも、従来の如く複数の基板ケースをそれぞれ個別に取り付けかつ不正行為の防止対策などを講じる場合よりも部品点数が少なくて済む。さらに、基板ケースの取り付けは、係止構造を用いているため、その作業を容易に行うことができる。また、メンテナンス時などには取り付け順番とは逆の順番によって複数の基板ケースを取り外すことができ、カシメフックなどを破壊する必要はなく、その分取り外し作業をも容易に行うことができる。
【発明の効果】
【００１８】
以上のように、本発明の遊技機によれば、払出制御基板など不正行為の対象になり易い基板を収容する基板ケースを取り付け順番の１番目に設定している場合、他の基板ケース全てを取り外した後でなければ１番目の基板ケースを取り外すことができないので、その分不正行為を防止することができ、また、搬送時に基板ケースががたつくことをも防止することができる。しかも、部品点数が少なくて済み、取り付け作業及びメンテナンス時などでの取り付け作業をも容易に行うことができるので、実施化を図る上で有利なものである。
【００１９】
特に、請求項２に係る発明では、係止構造が簡単なものであるだけでなく、各基板ケースの底蓋裏面を筐体の取り付け板上に接触させた状態のままスライドさせてフック部を係止孔の大孔部又はスリット部に嵌合させることだけでもって各基板ケースの取り付け及び取り外しを容易にかつ確実に行うことができ、作業の容易化を一層図ることができる。
【００２０】
請求項３に係る発明では、取り付け順番の前後する基板ケース同士の間で一部が接触又は近接し、後に取り付けた基板ケースにより移動規制手段が構成されているため、基板ケースの取り付けのための部品点数を可及的に少なくすることができ、実施化を容易に図ることができる。
【００２１】
請求項４に係る発明では、取り付け順番の前後する２つの基板ケース間で一部が接触又は近接して移動規制機能を発揮するだけでなく、一方の基板ケースに形成したカバー部によって他方の基板ケースの一部が覆われた状態で取り付けられているため、不正行為の防止化をより図ることができる。
【００２２】
さらに、請求項７に係る発明では、取り付け順番の前後する２つの基板ケースが互い離れている場合でも、先に取り付けた基板ケースのロック位置から取り外し位置への移動が確実に規制されるため、複数の基板ケースの取り付け位置の自由度を高めることができ、実用性に優れた効果を奏するものである。
【発明を実施するための最良の形態】
【００２３】
以下、本発明を実施するための最良の形態である実施形態を図面に基づいて説明する。
【００２４】
（第１の実施形態）
図１は本発明の第１の実施形態に係る遊技機としてのパチンコ機Ａの背面側の概略構成を示す。このパチンコ機Ａは、ホールの遊技島に固定される矩形枠状の木枠１と、この木枠１に開閉自在に取り付けられた筐体２とからなる。筐体２は、図示していないが、正面側からガラス枠を通して遊技盤３が見えるとともに、球発射装置のハンドルを操作して遊技球を遊技盤３の遊技領域に発射して遊技を行うように構成されている。また、遊技球が始動口などの特定領域を通過したことに伴って抽選を行い、その抽選の当否によって遊技盤３に設けられる開閉可能な入賞装置（図示せず）の開閉などを行い、入賞装置への入球に基づいて所定数の遊技球を払い出すように制御される。遊技球の払出は、遊技球が特定の領域を通過したときにも行われる。この遊技機の通過を検出するために、特定領域及び入賞装置内にセンサなどの遊技球検出手段（図示せず）が設けられている。
【００２５】
上記筐体２の背面側には、遊技盤３の中央表示装置（図示せず）を収容する裏カバー４が遊技盤３に固定して設けられているとともに、この裏カバー４との干渉を回避するための開口部５を有する機構枠体６が設けられ、この機構枠体６は、遊技盤３の裏面に当接した状態から右端をヒンジ７側として開放される構造になっている。機構枠体６の開口部５より上側の部位には遊技球を貯留する球タンク８が形成されているとともに、機構枠体６の開口部５の右側辺部にはこの球タンク８内から球通路９を通して流下する遊技球を１個ずつ正面側の受け皿（図示せず）に放出するための払出処理装置１０が設けられている。
【００２６】
また、上記機構枠体６の開口部５より下側部位の表面上には矩形平板状の取り付け板１１が固定されており、この取り付け板１１には、その右側下部に払出処理装置１０を制御する払出制御基板２６（図７参照）を収容する払出制御基板ケース１２が、左側下部に遊技を主に制御する主制御基板（図示せず）を収容する主制御基板ケース１３が、左側上部に主制御基板の制御指令に基づいて中央表示装置を制御する第１副制御基板（図示せず）を収容する第１副制御基板ケース１４が、右側上部に同じく主制御基板の制御指令に基づいて上記第１副制御基板への指令及び音声制御基板（図示せず）への指令を行って統括的に演出制御を行う第２副制御基板（図示せず）を収容する第２副制御基板ケース１５がそれぞれ互いに内側の側壁面で一部が接触した状態で係止構造１６により取り付けられている。尚、機構枠体６の開口部５より下側で取り付け板１１により覆われた部位には、図示していないが、遊技盤３の入賞口などに入った遊技球を回収する回収通路部及び払出処理装置１０からの遊技球を正面側の受け皿に放出するための放出通路部などが形成されている。
【００２７】
ここで、上述した制御を実現するための具体的な構成について説明するに、主制御基板は、遊技盤３に設けられたセンサからの検出信号に基づいて抽選を実行するとともに、払出制御基板に向かって所定数の遊技球を払い出すよう指令信号を出力する。払出制御基板側では、その指令信号に基づいて払出処理装置１０を制御する。主制御基板及び払出制御基板には、それぞれ中央演算処理装置及び記憶装置などをワンチップにしたワンチップマイコン（以下の記述ではＲＯＭという。）が実装されており、このＲＯＭによって上記の制御が統括的に行われる。このため、主制御基板及び払出制御基板は、特に基板を収容するケースごと不正なものと交換されたり、表面からは確認し得ないようにケースの裏面に穴を開け、この穴からＲＯＭを不正なものと交換したりする行為によって、センサ信号又は払出制御信号を擬装することが考えられる。特に、払出制御基板を不正交換した場合、直接払い出される遊技球数を変更することが可能になるため、不正行為者に狙われやすい。それ故、払出制御基板あるいは主制御基板のように賞球を制御する機能を有する基板について、基板ケースの取り外しを規制する構造が特に有効である。また、上記の制御を行う上で、配線を容易にする観点から、払出制御基板及び払出制御基板ケース１２は、制御対象である払出処理装置１０に近い取り付け板１１の右側に取り付けられている。主制御基板及び主制御基板ケース１３は、払出制御基板との接続配線を容易にする観点から、払出制御基板及び払出制御基板ケース１２に隣接して取り付け板１１に取り付けられている。これらの配置によって、主制御基板と払出制御基板との間で賞球信号を送受信するための接続配線を短くすることができ、不正行為が行われる危険性を低下させることができる。
【００２８】
上記払出制御基板ケース１２は、図２ないし図６に詳示するように、天蓋２１と底蓋２２とにより収容空間としての矩形箱型のケース本体２３を構成し、このケース本体２３内に、図７に示すようなＲＯＭ２４やコネクタ２５などの電子部品を実装した払出制御基板２６を収容する構成になっている。天蓋２１及び底蓋２２は、共に透明又は半透明なアクリル樹脂などの合成樹脂からなり、天蓋２１の互いに対向する２つの短辺部には、それぞれ複数の鈎状の係合突起部２７，２７，…が所定間隔毎に一列に設けられているとともに、底蓋２２の互いに対向する２つの短辺部には、これらの係合突起部２７，２７，…に対応して、それぞれ複数のスリット状の係止孔２８，２８，…が設けられ、この各係止孔２８に対しそれぞれ対応する係合突起部２７を係止させることにより、天蓋２１と底蓋２２とが結合されるようになっている。また、天蓋２１及び底蓋２２の１つの長辺部の側壁面には、その中央付近から一方の端までの間に両蓋２１，２２を分離不能に結合するための４つの結合部２９，２９，…が略等間隔でかつケース本体２３から側方に突出して形成されているとともに、中心付近から他方の端までの間に矩形枠状の突出部３０が同じくケース本体２３から側方に突出して形成されている。各結合部２９は、締結具としてのカシメフック３１を底蓋２２側から挿入して結合され、天蓋２１側の部分をニッパなどで切断しない限り分離できない構造になっている。
【００２９】
上記主制御基板ケース１３は、図８ないし図１０に詳示するように、天蓋３３と底蓋３４とにより収容空間として１つの隅角部が欠けた略矩形箱型のケース本体３５を構成し、このケース本体３５内に、図示していないが、ＲＯＭやコネクタなどの電子部品を実装した主制御基板を収容する構成になっている。天蓋３３及び底蓋３４は、払出制御基板ケース１２の天蓋２１及び底蓋２２の場合と同じく、共に透明又は半透明なアクリル樹脂などの合成樹脂からなり、天蓋３３の互いに対向する２つの短辺部には、それぞれ複数の鈎状の係合突起部（図示せず）が所定間隔毎に一列に設けられているとともに、底蓋３４の互いに対向する２つの短辺部には、これらの係合突起部に対応して、それぞれ複数のスリット状の係止孔３６，３６，…が設けられ、この各係止孔３６に対しそれぞれ対応する係合突起部を係止させることにより、天蓋３３と底蓋３４とが結合されるようになっている。また、天蓋３３及び底蓋３４の１つの長辺部の側壁面には、その中央付近から一方の端までの間に両蓋３３，３４を分離不能に結合するための４つの結合部３７，３７，…が略等間隔でかつケース本体３５から側方に突出して形成されているとともに、中心付近から他方の端までの間に矩形枠状の突出部３８が同じくケース本体３５から側方に突出して形成されている。
【００３０】
上記第１副制御基板ケース１４は、図１１に詳示するように、天蓋４１と底蓋４２とにより収容空間としての矩形箱型のケース本体４３を構成し、このケース本体４３内に、図示していないが、ＲＯＭやコネクタなどの電子部品を実装した第１副制御基板を収容する構成になっている。天蓋４１及び底蓋４２は、共に透明又は半透明なアクリル樹脂などの合成樹脂からなり、この両蓋４１，４２は、上記払出制御基板ケース１２の両蓋２１，２２の場合と同様な係止構造により、あるいはねじなどの締結部材により結合されるようになっている。また、天蓋４１及び底蓋４２の主制御基板ケース１３と接触する一辺の側壁面には、主制御基板ケース１３のケース本体３５の切り欠き部３９に対応して、ケース本体４３から側方に突出する枠状の突出部４４が形成されているとともに、天蓋４１及び底蓋４２の第２副制御基板ケース１５と接触する一辺の側壁面には、その中央付近から一方の端までの間に矩形枠状の突出部４５がケース本体４３から側方に突出して形成されている。
【００３１】
さらに、上記第２副制御基板ケース１５は、図１２に詳示するように、天蓋４６と底蓋４７とにより収容空間としての矩形箱型のケース本体４８を構成し、このケース本体４８内に、図示していないが、ＲＯＭやコネクタなどの電子部品を実装した第２副制御基板を収容する構成になっている。天蓋４６及び底蓋４７は、共に透明又は半透明なアクリル樹脂などの合成樹脂からなり、この両蓋４６，４７は、上記払出制御基板ケース１２の両蓋２１，２２の場合と同様な係止構造により、あるいはねじなどの締結部材により結合されるようになっている。また、天蓋４６及び底蓋４７の第１副制御基板ケース１５と接触する一辺の側壁面には、その中央付近から一方の端までの間に矩形枠状の突出部４９がケース本体４８から側方に突出して形成されている。
【００３２】
そして、上記４つの基板ケース１２〜１５を取り付け板１１に取り付けるための係止構造１６として、各基板ケース１２〜１５の底蓋２２，３４，４２，４７の裏面に、払出制御基板ケース１２の場合図３及び図６に、主制御基板ケース１３の場合図１０に各々示すように、それぞれ４つずつのフック部５１，５１，…が突設されているとともに、取り付け板１１には、図１３に示すように、各基板ケース１２〜１５の取り付け領域１１ａ，１１ｂ，１１ｃ，１１ｄ毎に４つずつ計１６の係止孔５２，５２，…が設けられている。この取り付け板１１は、その係止孔５２に基板ケース１２〜１５のフック部５１が係止するのを許容するために機構枠体６の表面との間に隙間を有した状態で固定されている。
【００３３】
上記各フック部５１は、図１４に拡大詳示するように、基板ケース１２〜１５の底蓋裏面から垂直に突出する全体でＬ字状の長辺垂直部５１ａ及び短辺垂直部５１ｂと、この長辺垂直部５１ａ及び短辺垂直部５１ｂの先端にこれらを一辺とする矩形状の先端突出部５１ｃとからなる。ここで、払出制御基板ケース１２の場合、図６に示すように、各フック部５１の長辺垂直部５１ａは底蓋２２の長辺と平行な状態で設けられており、主制御基板ケース１３の場合、図１０に示すように、各フック部５１の長辺垂直部５１ａは底蓋３４の短辺と平行な状態で設けられている。また、図示していないが、第１副制御基板ケース１４の場合、各フック部５１の長辺垂直部５１ａは突出部４４の突出方向に延びた状態で設けられており、第２副制御基板ケース１５の場合、各フック部５１の長辺垂直部５１は突出部４９の突出方向に延びた状態で設けられている。
【００３４】
一方、上記各係止孔５２は、フック部５１全体が嵌合する大きさで対応する基板ケース１２〜１５を取り付け板１１に対し垂直方向に移動させることが可能つまり取り外し可能な取り外し位置となる矩形状の大孔部５２ａと、この大孔部５２ａと連続しかつフック部５１の長辺垂直部５１ａのみが嵌合して対応する基板ケース１２〜１５を取り付け板１１から取り外し不能な位置、換言すれば基板ケース１２〜１５の取り付け板１１に対する垂直方向の移動を規制するロック位置となるスリット部５２ｂとからなる。各係止孔５２の大孔部５２ａからスリット部５２ｂに連続する方向は、取り付け板１１の取り付け領域１１ａ〜１１ｄ毎に異なり、取り付け板１１の払出制御基板ケース用取り付け領域１１ａでは上から下への垂直方向に、取り付け板１１の主制御基板ケース用取り付け領域１１ｂでは左から右への水平方向に、取り付け板１１の第１副制御基板ケース用取り付け領域１１ｃでは上から下への垂直方向に、取り付け板１１の第２副制御基板ケース用取り付け領域１１ｄでは右から左への水平方向にそれぞれ設定されている。
【００３５】
しかして、上記係止構造１６は、各基板ケース１２〜１５を単独で取り付け板１１の所定の取り付け領域１１ａ〜１１ｄに取り付けるとき基板ケース１２〜１５をそのフック部５１全体が係止孔５２の大孔部５２ａに嵌合する取り出し位置とフック部５１の長辺垂直部５１ａのみが係止孔５２のスリット部５２ｂに嵌合するロック位置との間での移動を許容するように構成されている。また、本実施形態の場合、４つの基板ケース１２〜１５の取り付け順番は、払出制御基板ケース１２、主制御基板ケース１３、第１副制御基板ケース１４、第２副制御基板ケース１５の順に設定されており、この順番の前後する２つの基板ケース１２〜１５同士では取り外し位置とロック位置との間の移動方向が互いに取り付け板１１上で直交するように設定されているとともに、後に取り付けた基板ケースの取り付けにより先に取り付けた基板ケースのロック位置から取り外し位置への移動を規制する移動規制手段５３が装備されている。すなわち、本実施形態の場合、各基板ケース１２〜１５は、それぞれ図１に矢符で示す方向への移動により取り外し位置からロック位置に変化することから、払出制御基板ケース１２のロック位置から取り外し位置への移動（つまり上方移動）は主制御基板ケース１３の突出部３８により、主制御基板ケース１３のロック位置から取り外し位置への移動（つまり左方向への移動）は第１副制御基板ケース１４の突出部４４により、第１副制御基板ケース１４のロック位置から取り外し位置への移動（つまり上方移動）は第２副制御基板ケース１５の突出部４９によりそれぞれ規制されるようになっており、これらの突出部３８，４４，４９により移動規制手段５３が構成されている。
【００３６】
また、上記払出制御基板ケース１２及び主制御基板ケース１３は取り付け板１１の所定の取り付け領域１１ａ，１１ｂに取り付けたとき、図１５にも示すように、払出制御基板ケース１２の４つの結合部２９，２９，…が主制御基板ケース１３の突出部３８により覆われるとともに、主制御基板ケース１３の４つの結合部３７，３７，…が払出制御基板ケース１２の突出部３０により覆われるようになっており、払出制御基板ケース１２の突出部３０及び主制御基板ケース１３の突出部３８は、共に他の基板ケースの一部を覆うカバー部としての機能を有するものである。尚、第２副制御基板ケース１５は、図示していないが、係止構造１６以外に、ねじなどの締結部材により取り付け板１１に固定されている。
【００３７】
従って、上記第１の実施形態においては、機構枠体６の表面に固定した取り付け板１１に取り付けられた４つの基板ケース、つまり払出制御基板ケース１２、主制御基板ケース１３、第１副制御基板ケース１４及び第２副制御基板ケース１５は、いずれも係止構造１６により取り付け板１１の所定の取り付け領域１１ａ〜１１ｄ上で取り外し可能な取り外し位置と取り外し不能なロック位置との間での移動が許容されつつ、取り付け順番の前後する２つの基板ケース同士では取り外し位置とロック位置との間の移動方向が互いに直交し、かつ移動規制手段５３によって後に取り付けた基板ケースの取り付けにより先に取り付けた基板ケースのロック位置から取り外し位置への移動が規制されているため、不正行為の対象になり易い払出制御基板２６を収容する払出制御基板ケース１２を取り外すのに４つ全ての基板ケース１２〜１５を取り外す必要があり、その分不正行為を防止することができる。
【００３８】
また、上記４つの基板ケース１２〜１５の中で、先に取り付けた基板ケース１２〜１４は、係止構造１６以外に、移動規制手段５３によってロック位置から取り外し位置への移動が規制されており、最後に取り付けた第２副制御基板ケース１５も締結部材により固定されているため、搬送時に各基板ケース１２〜１５ががたつくことをも防止することができ、このがたつきに起因する破損の防止化を図ることができる。
【００３９】
しかも、従来の如く４つの基板ケース１２〜１５をそれぞれ個別に取り付けかつ不正行為の防止対策などを講じる場合よりも部品点数を少なくすることができるので、コスト面や組立性などの点からも実施化を図る上で有利である。また、各基板ケース１２〜１５の取り付けは、係止構造１６を用いているため、その作業を容易に行うことができ、その上、メンテナンス時などには取り付け順番とは逆の順番によって各基板ケース１２〜１５を取り外すことができ、カシメフックなどを破壊する必要はなく、その分取り外し作業をも容易に行うことができる。
【００４０】
さらに、上記係止構造１６は、各基板ケース１２〜１５の底蓋２２，３４，４２，４７の裏面にそれぞれ突設されたフック部５１と、機構枠体６の表面に固定した取り付け板１１に設けられた複数の係止孔５２，５２，…とを有するだけの簡単なものであり、その上、各基板ケース１２〜１５の底蓋２２，３４，４２，４７の裏面を機構枠体６の取り付け板１１上に接触させた状態のままスライドさせてフック部５１を係止孔５２の大孔部５２ａ又はスリット部５２ｂに嵌合させることだけでもって各基板ケース１２〜１５の取り付け及び取り外しを容易にかつ確実に行うことができるので、実施化を一層容易に図ることができる。
【００４１】
加えて、上記移動規制手段５３は、取り付け順番の前後する基板ケース１２〜１５同士の間で一部接触させ、後に取り付けた基板ケース１３〜１５自体（詳しくはその突出部３８，４４，４９）により先に取り付けた基板ケース１２〜１４のロック位置から取り外し位置への移動を規制するものであるため、基板ケース１２〜１５の取り付けのための部品点数を可及的に少なくすることができる。また、払出制御基板ケース１２と主制御基板ケース１３との間では、共にケース本体２３，３５から互いに接触する側の側方に突出する突出部３０，３８によって各基板ケース１２，１３の４つの結合部２９，３７が覆われているため、不正行為の防止化をより図ることができる。
【００４２】
（第２の実施形態）
図１６ないし図２４は本発明の第２の実施形態として払出制御基板ケース６１及び主制御基板ケース６２の別の形態を示すものである。
【００４３】
すなわち、払出制御基板ケース６１は、図１６ないし図１８に示すように、天蓋７１と底蓋７２とにより収容空間としての矩形箱型のケース本体７３を構成し、このケース本体７３内に、図１９に示すようなＲＯＭ７４やコネクタ７５，７６などの電子部品を実装した払出制御基板７７を収容する構成になっている。払出制御基板７７のコネクタ７６は、ケーブル７８を通して主制御基板ケース６２内の主制御基板９１と信号授受可能に接続するためのものであり、天蓋７１には、このコネクタ７６に対応して、凹部７９が形成されているとともに、この凹部７９の底部にコネクタ７６が露見するように開口部８０が設けられている。天蓋７１及び底蓋７２の１つの長辺部の側壁面には、上記凹部７９を挟む一方の側に両蓋７１，７２を分離不能に結合するための３つの結合部８１，８１，８１が略等間隔でかつケース本体７３から側方に突出して形成されているとともに、上記凹部７９を挟む他方の側に矩形枠状の突出部８２及び矩形板状のカバー部８３が共に同じくケース本体７３から側方に突出して形成されている。コネクタ７６は、主制御基板９１から払出制御基板７７に向かって遊技球の払出個数を指令する信号を受信するためのものである。また、払出制御基板７７で検知した払出個数に関する異常の情報を主制御基板９１に向かって送信する送信線もこのコネクタ７６に含まれている。主制御基板９１では、この情報を受けて、払出個数に関する異常の表示を副制御基板に指令する。このため、コネクタ７６に対して行われる不正行為によって、指令される払出個数が変更されたり、異常情報が遮蔽されたりする虞がある。尚、払出制御基板ケース６１のその他の構造は、第１の実施形態における払出制御基板ケース１２の場合と同じであり、同一部位には同一符号を付してその説明は省略する。
【００４４】
また一方、主制御基板ケース６２は、図２０ないし図２２に示すように、天蓋８６と底蓋８７とにより収容空間としての矩形箱型のケース本体８８を構成し、このケース本体８８内に、図２３に示すようなＲＯＭ８９やコネクタ９０などの電子部品を実装した主制御基板９１を収容する構成になっている。主制御基板９１のコネクタ９０は、ケーブル７８を通して払出制御基板ケース６１内の払出制御基板７７と信号授受可能に接続するためのものであり、天蓋８６には、このコネクタ９０に対応して、凹部９２が形成されているとともに、この凹部９２の底部にコネクタ９０が露見するように開口部９３が設けられている。天蓋８６及び底蓋８７の１つの長辺部の側壁面には、上記凹部９２を挟む一方の側に両蓋８６，８７を分離不能に結合するための３つの結合部９４，９４，９４が略等間隔でかつケース本体８８から側方に突出して形成されているとともに、上記凹部９２を挟む他方の側に矩形枠状の突出部９５及び矩形板状のカバー部９６が共に同じくケース本体８８から側方に突出して形成されている。尚、主制御基板ケース６２のその他の構造は、第１の実施形態における主制御基板ケース１３の場合と同じであり、同一部位には同一符号を付してその説明は省略する。
【００４５】
そして、上記払出制御基板ケース６１及び主制御基板ケース６２は取り付け板１１の所定の取り付け領域１１ａ，１１ｂ（図１３参照）に取り付けたとき、図２４に示すように、払出制御基板ケース６１の３つの結合部８１，８１，８１が主制御基板ケース６２の突出部９５により、主制御基板ケース６２の３つの結合部９４，９４，９４が払出制御基板ケース６１の突出部８２によりそれぞれ覆われるとともに、払出制御基板ケース６１の天蓋７１の凹部７９に設けた開口部８０及びその開口部８０から露見する払出制御基板７７のコネクタ７６が主制御基板ケース６２のカバー部９６により、主制御基板ケース６２の天蓋８６の凹部９２に設けた開口部９３及びその開口部９３から露見する主制御基板９１のコネクタ９０が払出制御基板ケース６１のカバー部８３によりそれぞれ覆われるようになっている。
【００４６】
従って、上記第２の実施形態においては、払出制御基板ケース６１及び主制御基板ケース６２を取り付け板１１に取り付けたとき、払出制御基板ケース６１の３つの結合部８１，８１，８１が主制御基板ケース６２の突出部９５により、主制御基板ケース６２の３つの結合部９４，９４，９４が払出制御基板ケース６１の突出部８２によりそれぞれ覆われるだけでなく、払出制御基板ケース６１の天蓋７１の凹部７９に設けた開口部８０及びその開口部８０から露見する払出制御基板７７のコネクタ７６が主制御基板ケース６２のカバー部９６により、主制御基板ケース６２の天蓋８６の凹部９２に設けた開口部９３及びその開口部９３から露見する主制御基板９１のコネクタ９０が払出制御基板ケース６１のカバー部８３によりそれぞれ覆われるため、不正行為の防止化をより一層図ることができる。尚、払出制御基板ケース６１及び主制御基板ケース６２のその他の構造並びに係止構造などは、第１の実施形態の場合と同じであり、それに伴い、同様の作用・効果を奏するのは言うまでもない。
【００４７】
（第３の実施形態）
図２５は本発明の第３の実施形態に係る遊技機としてのパチンコ機Ｂの背面側の概略構成を示す。このパチンコ機Ｂは、基本的には第１の実施形態に係るパチンコ機Ａの場合と同じであり、同一部材には同一符号を付してその説明は省略する。相違点は、機構枠体６の開口部５より下側部位の表面上に固定した取り付け板１０１及びこれに取り付けた４つの基板ケースである払出制御基板ケース１０２、主制御基板ケース１０３、第１副制御基板ケース１０４及び第２副制御基板ケース１０５の形状などが異なることである。
【００４８】
すなわち、上記取り付け板１０１は、第１の実施形態の場合のそれよりも縦方向（上下方向）の長さ寸法が短く設定されている。また、上記４つの基板ケース１０２〜１０５は、いずれも矩形箱型に形成されているとともに、取り付け板１０１に対し、それぞれ内側の２辺で互いに接触した状態で係止構造１０６により取り付けられている。
【００４９】
上記係止構造１０６は、図示していないが、第１の実施形態の場合の係止構造１６と同じく、各基板ケース１０２〜１０５の底蓋裏面にそれぞれ突設されたフック部と、取り付け板１０１に設けられた複数の係止孔とを有し、各基板ケース１０２〜１０５を単独で取り付けるときそれぞれ基板ケース１０２〜１０５を取り付け板１０１上で取り外し位置とロック位置との間での移動を許容するように構成されているものの、取り外し位置からロック位置への移動方向は、図に矢符で示すように、第１の実施形態の場合と異なり、払出制御基板ケース１０２は右方向に、主制御基板ケース１０３は下方向に、第１副制御基板ケース１０４は左方向に、第２副制御基板ケース１０５は下方向にそれぞれ設定されている。しかして、払出制御基板ケース１０２のロック位置から取り外し位置への移動（左方向への移動）は主制御基板ケース１０３により、主制御基板ケース１０３のロック位置から取り外し位置への移動（上方移動）は第１副制御基板ケース１０４により、第１副制御基板ケース１０４のロック位置から取り外し位置への移動（右方向への移動）は第２副制御基板ケース１０５によりそれぞれ規制されるようになっており、後に取り付けた基板ケース１０３〜１０５により、先に取り付けた基板ケース１０２〜１０４のロック位置から取り外し位置への移動を規制する移動規制手段１０７が構成されている。
【００５０】
（第４の実施形態）
図２６ないし図３０は本発明の第４の実施形態として、４つの基板ケース１１１，１１２（図には２つのみ示す）を取り付け板１１３に取り付けるための係止構造などの別の形態を示す。この第４の実施形態の場合、取り付け板１１３には４つの基板ケース１１１，１１２が互いに離間した状態で取り付けられるようになっている。
【００５１】
すなわち、上記各基板ケース１１１，１１２の底蓋裏面には、図２８に示すように、それぞれ４つずつのフック部１１４，１１４，…が突設されており、各フック部１１４は、図１４に詳示した第１の実施形態の場合のフック部５１と同じく、基板ケース１１１，１１２の底蓋裏面から垂直に突出する全体でＬ字状の長辺垂直部１１４ａ及び短辺垂直部１１４ｂと、この長辺垂直部１１４ａ及び短辺垂直部１１４ｂの先端にこれらを一辺とする矩形状の先端突出部１１４ｃとからなる。
【００５２】
一方、上記取り付け板１１３には、図２６に示すように、各基板ケース１１１，１１２の取り付け領域１１３ａ，１１３ｂ，１１３ｃ，１１３ｄ毎に４つずつ計１６の係止孔１１５，１１５，…が設けられている。各係止孔１１５は、フック部１１４全体が嵌合する大きさで対応する基板ケース１１１，１１２を取り付け板１１３に対し垂直方向に移動させることが可能つまり取り外し可能な取り外し位置となる矩形状の大孔部１１５ａと、この大孔部１１５ａと連続しかつフック部１１４の長辺垂直部１１４ａのみが嵌合して対応する基板ケース１１１，１１２を取り付け板１１３から取り外し不能な位置、換言すれば基板ケース１１１，１１２の取り付け板１１３に対する垂直方向の移動を規制するロック位置となるスリット部１１５ｂとからなる。各係止孔１１５の大孔部１１５ａからスリット部１１５ｂに連続する方向は、取り付け板１１３の取り付け領域１１３ａ〜１１３ｄ毎に異なり、取り付け板１１３の右側下部の取り付け領域１１３ａでは左から右への水平方向に、取り付け板１１３の左側下部の取り付け領域１１３ｂでは上から下への垂直方向に、取り付け板１１３の左側上部の取り付け領域１１３ｃでは左から右への水平方向に、取り付け板１１３の右側上部の取り付け領域１１３ｄでは上から下への垂直方向にそれぞれ設定されている。
【００５３】
しかして、上記フック部１１４及び係止孔１１５により、４つの基板ケース１１１，１１２をそれぞれ取り付け板１１３に取り付けるための係止構造１１６が構成されており、この係止構造１１６は、各基板ケース１１１，１１２を単独で取り付けるとき基板ケース１１１，１１２を取り付け板１１３の所定の取り付け領域１１３ａ〜１１３ｄ上で取り外し位置とロック位置との間で移動を許容するように構成されている。ここで、４つの基板ケース１１１，１１２の取り付け順番は、取り付け板１１３の右側下部の取り付け領域１１３ａに取り付ける基板ケース１１１、左側下部の取り付け領域１１３ｂに取り付ける基板ケース１１２、左側上部の取り付け領域１１３ｃに取り付ける基板ケース、右側上部の取り付け領域１１３ｄに取り付ける基板ケースの順に設定されている。この順番で４つの基板ケース１１１，１１２を取り付け板１１３に取り付けるとき、本実施形態の場合、２番目に取り付けた基板ケース１１２の取り付けにより１番目に取り付けた基板ケース１１１のロック位置から取り外し位置への移動を規制する第１の移動規制手段１１７と、３番目に取り付けた基板ケースの取り付けにより２番目に取り付けた基板ケース１１２のロック位置から取り外し位置への移動を規制する第２の移動規制手段１１８とが取り付け板１１３の裏面側に装備されている。
【００５４】
上記第１の移動規制手段１１７は、図２７及び図２９に示すように、取り付け板１１３の裏面側でその下部の２つの取り付け領域１１３ａ，１１３ｂに跨って配置され、かつ左右一対のガイド部材１２１，１２１のガイドの下に上端がストッパー部材１２２に当接する第１位置とそれより下方の第２位置との間を移動可能に設けられた矩形平板状の規制部材１２３と、上記各ガイド部材１２１のバネ座部１２１ａ上にそれぞれ支持され、上記規制部材１２３を第１位置に位置付けるように常時付勢する左右一対の付勢部材としてのコイルバネ１２４，１２４とを有している。上記規制部材１２３には、取り付け板１１３の右側下部の取り付け領域１１３ａの２つの係止孔１１５，１１５にそれぞれ対応して、２つの切り欠き部１２５，１２６が設けられているとともに、取り付け板１１３の左側下部の取り付け領域１１３ｂの２つの係止孔１１５，１１５にそれぞれ対応して、２つの矩形状の挿入孔１２７，１２７が設けられている。そして、規制部材１２３は、取り付け板１１３の右側下部の取り付け領域１１３ａに基板ケース１１１を取り付けるとき、図３０（ａ）に示す如く上記切り欠き部１２５，１２６で基板ケース１１１のフック部１１４との干渉を回避し、その後取り付け板１１３の左側下部の取り付け領域１１３ｂに基板ケース１１２を取り付けるとき、その取り付けに伴って上記コイルバネ１２４の付勢力に抗して第２位置に移動し、この第２位置で図３０（ｂ）に示す如く先に取り付けた基板ケース１１１のフック部１１４と干渉してこのフック部１１４が取り付け板１１３の係止孔１１５のスリット部１１５ｂから大孔部１１５ａに移動するのを阻止するようになっている。
【００５５】
また、上記第２の移動規制手段１１８は、同じく図２７及び図２９に示すように、取り付け板１１３の裏面側でその左側の２つの取り付け領域１１３ｂ，１１３ｃに跨って配置され、かつ上下一対のガイド部材１３１，１３１のガイドの下に左寄りの第１位置と右寄りの第２位置との間を移動可能に設けられた略長尺矩形平板状の規制部材１３２と、上記各ガイド部材１３１のバネ座部１３１ａ上にそれぞれ支持され、上記規制部材１３２を第１位置に位置付けるように常時付勢する上下一対の付勢部材としてのコイルバネ１３３，１３３とを有している。上記規制部材１３２には、取り付け板１１３の左側下部の取り付け領域１１３ｂの２つの係止孔１１５，１１５に対応して、比較的大きな段差形状の切り欠き部１３４が設けられているとともに、取り付け板１１３の左側上部の取り付け領域１１３ｃの２つの係止孔１１５，１１５にそれぞれ対応して、２つの矩形状の挿入孔１３５，１３５が設けられている。そして、規制部材１３２は、取り付け板１１３の左側下部の取り付け領域１１３ｂに基板ケース１１１を取り付けるとき、上記切り欠き部１３４で基板ケース１１２のフック部１１４との干渉を回避し、その後取り付け板１１３の左側上部の取り付け領域１１３ｃに基板ケースを取り付けるとき、その取り付けに伴って上記コイルバネ１３３の付勢力に抗して第２位置に移動し、この第２位置で先に取り付けた基板ケース１１２のフック部１１４と干渉してこのフック部１１４が取り付け板１１３の係止孔１１５のスリット部１１５ｂから大孔部１１５ａに移動するのを阻止するようになっている。
【００５６】
従って、上記第４の実施形態においても、第１の実施形態の場合と同じく、取り付け板１１３に取り付けられた４つの基板ケース１１１，１１２は、いずれも係止構造１１６により取り付け板１１３の所定の取り付け領域１１３ａ〜１１３ｄ上で取り外し可能な取り外し位置と取り外し不能なロック位置との間での移動が許容されつつ、取り付け順番の前後する２つの基板ケース同士では取り外し位置とロック位置との間の移動方向が互いに直交し、かつ移動規制手段１１７，１１８によって後に取り付けた基板ケースの取り付けにより先に取り付けた基板ケースのロック位置から取り外し位置への移動が規制されているため、不正行為の対象になり易い払出制御基板を取り付け順番の１番目の基板ケース１１１内に収容している場合、他の基板ケース全てを取り外した後でなければ１番目の基板ケース１１１を取り外すことができず、その分不正行為を防止することができる。
【００５７】
また、上記４つの基板ケース１１１，１１２の中で、先に取り付けた基板ケースは、係止構造１１６以外に、移動規制手段１１７，１１８によってロック位置から取り外し位置への移動が規制されているため、搬送時に各基板ケース１１１，１１２ががたつくことをも防止することができ、このがたつきに起因する破損の防止化を図ることができる。
【００５８】
しかも、従来の如く４つの基板ケース１１１，１１２をそれぞれ個別に取り付けかつ不正行為の防止対策などを講じる場合よりも部品点数を少なくすることができるので、コスト面や組立性などの点からも実施化を図る上で有利である。また、各基板ケース１１１，１１２の取り付けは、係止構造１１６を用いているため、その作業を容易に行うことができ、その上、メンテナンス時などには取り付け順番とは逆の順番によって各基板ケース１１１，１１２を取り外すことができ、カシメフックなどを破壊する必要はなく、その分取り外し作業をも容易に行うことができる。
【００５９】
さらに、上記係止構造１１６においては、各基板ケース１１１，１１２の底蓋裏面を取り付け板１１３上に接触させた状態のままスライドさせてフック部１１４を係止孔１１５の大孔部１１５ａ又はスリット部１１５ｂに嵌合させることだけでもって各基板ケース１１１，１１２の取り付け及び取り外しを容易にかつ確実に行うことができるので、実施化を一層容易に図ることができる。
【００６０】
加えて、本実施形態の特有の効果としては、取り付け順番の前後する２つの基板ケース１１１，１１２が互い離れている場合でも、後に取り付けた基板ケースの取り付けに伴って移動規制手段１１７，１１８の規制部材１２３，１３２がそれぞれ第１位置に位置付けるためのコイルバネ１２４，１３３の付勢力に抗して第２位置に移動し、この第２位置で先に取り付けた基板ケースのフック部１１４が取り付け板１１３の係止孔１１５のスリット部１１５ｂから大孔部１１５ａに移動するのを阻止するようになり、先に取り付けた基板ケースのロック位置から取り外し位置への移動を規制する移動規制手段１１７，１１８としての機能を確実に発揮することができる。このため、複数の基板ケース１１１，１１２の取り付け位置の自由度を高めることができ、実用性に優れた効果を奏するものである。
【００６１】
（第５の実施形態）
図３１ないし図３４は本発明の第５の実施形態として、２種類４つの基板ケース１４１，１４２を取り付け板１４３に取り付けるための係止構造などの別の形態を示す。４つの基板ケースのうち、取り付け順番の１〜３番目の３つの基板ケース１４１は、図３３に示すように、それぞれ底蓋裏面にＴ字形のフック部１４４が突設されてなり、取り付け順番の最後（４番目）の基板ケース１４２は、図３４に示すように、底蓋裏面に直方体形状のフック部１４５が突設されているとともに、ねじを挿入するための螺着部１４６が設けられてなる。
【００６２】
一方、図３１に示すように、取り付け板１４３には、４つの基板ケース１４１，１４２を取り付ける個所毎に１つずつ計４つの上記フック部１４４，１４５が挿入可能な矩形状の挿入孔１４７，１４８，１４９，１５０が設けられているとともに、左側上部の挿入孔１５０の上側にねじ孔１５１が設けられている。ここで、取り付け板１４３の右側下部の挿入孔１４７は、取り付け順番の１番目の基板ケース（例えば払出制御基板ケース）１４１のフック部１４４を挿入するためのものであり、取り付け板１４３の左側下部の挿入孔１４８は、取り付け順番の２番目の基板ケース１４１のフック部１４４を挿入するためのものであり、取り付け板１４３の右側上部の挿入孔１４９は、取り付け順番の３番目の基板ケース１４１のフック部１４４を挿入するためのものであり、取り付け板１４３の左側上部の挿入孔１５０は、取り付け順番の最後の基板ケース１４２のフック部１４５を挿入するためのものである。
【００６３】
また、上記取り付け板１４３の裏面側には、図３２に詳示するように、取り付け板１４３に沿って上下方向に移動可能な可動板１５２が設けられており、この可動板１５２には、取り付け板１４３の各挿入孔１４７〜１５０にそれぞれ対応して４つの係止孔１５３，１５４，１５５，１５６が設けられている。各係止孔１５３〜１５６は、フック部１４４，１４５全体が嵌合する大きさで対応する基板ケースを取り付け板１４３に対し垂直方向に移動させることが可能な矩形状の大孔部１５３ａ，１５４ａ，１５５ａ，１５６ａと、この大孔部１５３ａ，１５４ａ，１５５ａから上方に連続しかつフック部１４４の垂直部１４４ａのみが嵌合して対応する基板ケースの取り付け板１４３に対する垂直方向の移動を規制するスリット部１５３ｂ，１５４ｂ，１５５ｂとからなり、スリット部１５３ｂ〜１５５ｂの長さは、係止孔１５３〜１５５毎に異なる長さに設定されている。尚、係止孔１５６は、大孔部１５６ａから連続するスリット部の長さが零のものでもある。
【００６４】
しかして、上記フック部１４４，１４５と挿入孔１４７〜１５０と可動板１５２と係止孔１５３〜１５６とにより、４つの基板ケース１４１，１４２を取り付け板１４３に取り付けるための係止構造１５７が構成されており、この係止構造１５７は、４つの基板ケース１４１，１４２を順番に取り付けるときスリット部１５３ｂ〜１５５ｂの長さが長い係止孔１５３〜１５５から順に係止孔１５３〜１５５の大孔部１５３ａ〜１５５ａを取り付け板１４３の対応する挿入孔１４７〜１４９と一致させ、この挿入孔１４７〜１４９及び係止孔１５３〜１５５の大孔部１５３ａ〜１５５ａに基板ケース１４１のフック部１４４を挿入した後、可動板１５２の下方移動により基板ケース１４１のフック部１４４を係止孔１５３〜１５５のスリット部１５３ｂ〜１５５ｂに嵌合させて基板ケース１４１を取り外し可能にロックする構成になっている。
【００６５】
尚、図３１及び図３２中、１６１は可動板１５２を上下方向に移動操作するための把持部であって、この把持部１６１には指針１６２が設けられている。この指針１６２は、取り付け板１４３に設けた表示部１６３と協同して、可動板１５２の位置状態から取り付け板１４３に取り付けるべき基板ケース１４１，１４２の取り付け順番が「１番目」、「２番目」、「３番目」又は「４番目」にあることを表示するようになっている。
【００６６】
従って、上記第５の実施形態においては、４つの基板ケース１４１，１４２を取り付け板１４３に対し、係止構造１５７によりそれぞれ取り付けるときには、その係止構造１５７の可動板１５２の４つの係止孔１５３〜１５６の中でスリット部１５３ｂ〜１５５ｂの長さが長い係止孔から順に係止孔１５３〜１５５の大孔部１５３ａ〜１５５ａを取り付け板１４３の対応する挿入孔１４７〜１４９と一致させ、この挿入孔１４７〜１４９及び係止孔１５３〜１５５の大孔部１５３ａ〜１５５ａに基板ケース１４１のフック部１４４を挿入した後、可動板１５２の下方移動により基板ケース１４１のフック部１４４を係止孔１５３〜１５５のスリット部１５３ｂ〜１５５ｂに嵌合させて基板ケース１４１を取り外し不能にロックするという手順を３回繰り返し、最後に取り付け板１４３の挿入孔１５０及びこれに一致する可動板１５２の係止孔１５６に基板ケース１４２のフック部１４５を挿入した上、基板ケース１４２の螺着部１４６をねじにより取り付け板１４３に固定することにより、４つ全ての基板ケース１４１，１４２を取り付けることができる。そして、この係止構造１５７においては、不正行為の対象になり易い払出制御基板を取り付け順番の１番目の基板ケース１４１内に収容している場合、他の３つの基板ケース１４１，１４２全てを取り外した後でなければ１番目の基板ケース１４１を取り外すことができず、その分不正行為を防止することができる。
【００６７】
また、上記係止構造１５７においては、基板ケース１４１，１４２のフック部１４４，１４５が取り付け板１４３の挿入孔１４７〜１５０と可動板１５２の係止孔１５３〜１５６の双方に跨って係止するため、単に基板ケースのフック部が取り付け板の係止孔に係止するものに比べて係止状態の強度を高めることができる。その結果、搬送時に基板ケース１４１〜１４２ががたつくことをも防止することができ、そのがたつきに起因する破損の防止化を図ることができる。
【００６８】
しかも、従来の如く４つの基板ケース１４１，１４２をそれぞれ個別に取り付けかつ不正行為の防止対策などを講じる場合よりも部品点数を少なくすることができるので、コスト面や組立性などの点からも実施化を図る上で有利である。また、各基板ケース１４１，１４２の取り付けは、係止構造１５７を用いているため、その作業を容易に行うことができ、その上、メンテナンス時などには取り付け順番とは逆の順番によって各基板ケース１４１，１４２を取り外すことができ、カシメフックなどを破壊する必要はなく、その分取り外し作業をも容易に行うことができる。
【００６９】
さらに、４つの基板ケース１４１，１４２の取り付け時又は取り外し時に可動板１５２を移動させる際には、把持部１６１に設けた指針１６２が取り付け板１４３に取り付け又は取り外すべき基板ケース１４１，１４２の取り付け順番を表示するようになっているため、その取り付け又は取り外し作業をより一層容易に行うことができる。
【００７０】
（その他の実施形態）
本発明は上記第１ないし第５の実施形態に限定されるものではなく、その他種々の実施形態を包含するものである。以下に、その他の実施形態を列挙する。
【００７１】
（１）上記第１、第２及び第４の実施形態では、いずれも各基板ケース１２〜１５，６１，６２，１１１，１１２の底蓋裏面にそれぞれフック部５１，１１４を４つずつ突設し、第５の実施形態では、各基板ケース１４１，１４２の底蓋裏面にそれぞれフック部１４４，１４５を１つずつ突設したが、本発明は、各基板ケースの底蓋表面に、その大きさなどに応じて、互いに異なる複数のフック部を突設してもよい。また、フック部５１，１１４，１４４，１４５の形状は、各実施形態の如きものに限定されないことは言うまでもない。
【００７２】
（２）上記第１ないし第３の実施形態では、いずれも機構枠体６の表面上に固定した取り付け板１１，１０１に取り付ける基板ケースとして、払出制御基板ケース１２，６１，１０２と、主制御基板ケース１３，６２，１０３と、中央表示装置を制御する第１副制御基板を収容する第１副制御基板ケース１４，１０４と、統括的に演出制御を行う第２副制御基板を収容する第２副制御基板ケース１５、１０５とを用いた場合について述べたが、本発明は、これらの代わりに、例えば音声制御基板を収容する音声制御基板ケース、球発射制御基板を収容する球発射制御基板ケース、又は台間機接続基板を収容する台間機接続基板ケースなどを用いてよいのは勿論である。
【００７３】
（３）上記第１ないし第３の実施形態では、いずれもパチンコ機Ａ，Ｂに適用した場合について述べたが、本発明は、これに限らず、例えばスロットマシンの箱形筐体の奥壁部の内面に、主制御基板を収容する主制御基板ケース及び中継基板を収容する中継基板ケースなどを係止構造により取り付ける場合などにも同様に適用することができる。それ故、本発明にいう筐体の取り付け面は、２つ以上の基板ケースを取り付け得る広さの個所であればよく、パチンコ機の場合、第１ないし第３の実施形態の如く遊技盤３の裏面に遊技盤３と独立して設けられた機構枠体６の表面である基板ケース付設面に限らず、遊技盤の裏面に形成される基板ケース付設面をも包含する。
【００７４】
（４）上記第１ないし第３の実施形態では、いずれも筐体２の取り付け面（詳しくは機構枠体６の表面に固定した取り付け板１１，１０１）に４つの基板ケース１２〜１５、６１，６２又は１０２〜１０５を取り付ける場合、４つの基板ケース全てを隣接するもの同士間で一部が接触した状態で配置し、かつ取り付け順番の前後する２つの基板ケース間では取り外し位置とロック位置との間の移動方向が互いに直交するように設定して、後に取り付けた基板ケースにより先に取り付けた基板ケースのロック位置から取り外し位置への移動を規制する移動規制手段を構成するようにしたが、本発明は、筐体２の取り付け面に取り付けられる複数の基板ケースのうち、２つの基板ケース、例えば払出制御基板ケースと主制御基板ケースとの間だけで一部が接触又は近接した状態で配置し、かつ取り外し位置とロック位置との間の移動方向が互いに交差するように設定して、後に取り付けた基板ケースにより先に取り付けた基板ケースのロック位置から取り外し位置への移動を規制する移動規制手段を構成するようにしてもよい。
【００７５】
（５）また、本発明は、４つの基板ケース１２〜１５（６１，６２又は１０２〜１０５）の取り付け順番を、上記第１ないし第３の実施形態の如き順番に限らない。例えば主制御基板ケースと払出制御基板ケースの間では、いずれかの基板ケースを先に取り付け場合、後に取り付けた基板ケースによって不正行為が防止されることになる。特に、不正行為により狙われやすい、賞球の制御に関与する基板を収容する基板ケースを先に取り付ける構成にすることが好ましい。例えば主制御基板ケースと払出制御基板ケースの場合は、払出制御基板ケース、主制御基板ケースの取り付け順に設定し、主制御基板ケースと払出制御基板ケースと副制御基板ケースの場合は、払出制御基板ケース、主制御基板ケース、副制御基板ケースの取り付け順に設定する。このように、賞球制御に関与する基板を収容する基板ケースの取り外しを、賞球制御に関与しない基板を収容する基板ケースの取り付けにより規制する構成にすることで不正行為がより行い難くなる。
【００７６】
（６）上記第１ないし第３の実施形態では、いずれも後に取り付けた基板ケースにより、先に取り付けた基板ケースのロック位置から取り外し位置への移動を規制する構成にしたが、本発明は、これに加えて、先に取り付けた基板ケースの開放を後に取り付けた基板ケースにより規制する開放規制手段を設けてもよい。例えば第１の実施形態における払出制御基板ケース１２の場合、天蓋２１の係合突起部２７の配列方向に天蓋２１が底蓋２２から開放可能になっているため、この天蓋２１の開放方向に主制御基板ケース１３を取り付ける。この取り付け状態では、払出制御基板ケース１２の結合部２９での結合を解除したとしても天蓋２１を開放することができないので、不正行為の防止に効果的である。
【００７７】
（７）上記第２の実施形態では、払出制御基板ケース６１と主制御基板ケース６２との間で賞球信号の送受信に関与する払出制御基板７７のコネクタ７６及び主制御基板９１のコネクタ９０を、それぞれ主制御基板ケース６２及び払出制御基板ケース６１に形成したカバー部９６，８３により覆う構成にしたが、本発明は、この場合に限らず、隣接する２つの基板間を接続するコネクタを、それぞれ基板ケースに形成したカバー部によって全て保護するように構成してもよく、また、隣接する２つの基板ケースのうち、一方の基板ケースのみに、他方の基板ケースの開口部及びその開口部から露見するコネクタを覆うカバー部を形成してもよい。
【００７８】
（８）上記第４の実施形態では、移動規制手段１１７，１１８の規制部材１２３，１３２をそれぞれコイルバネ１２４，１３３で付勢する構成にしたが、本発明は、これに限らず、各規制部材を手動により第１位置と第２位置との間で移動させるように構成してもよい。また、付勢部材としては、コイルバネに限定されないのは言うまでもない。
【００７９】
（９）本発明は、第４の実施形態において、第２の移動規制手段１１８と取り付け板１１３との間に、破壊によってのみ結合状態を解除可能な結合部を設けてもよい。この場合、結合部の結合によって先に取り付けた３つの基板ケース１１１，１１２の取り外しを規制する状態を実現でき、不正行為の防止により効果的である。
【００８０】
（１０）上記第５の実施形態では、最後に取り付ける基板ケース１４２を螺着部１４６でねじ止めにより固定する構成にしたが、本発明は、この固定手段として、ねじに限定するものではなく、ピンなどを用いてもよい。また、固定手段を破壊によってのみ結合状態を解除可能な結合部によって構成した場合、この結合部を破壊しない限り、４つの基板ケース１４１，１４２全てを取り外せない構成を実現でき、不正行為の防止により効果的である。
【図面の簡単な説明】
【００８１】
【図１】本発明の第１の実施形態に係るパチンコ機の背面側の概略構成図である。
【図２】払出制御基板ケースを天蓋表面側から見た斜視図である。
【図３】払出制御基板ケースを底蓋裏面側から見た斜視図である。
【図４】払出制御基板ケースの分解斜視図である。
【図５】払出制御基板ケースの天蓋の平面図である。
【図６】払出制御基板ケースの底蓋の平面図である。
【図７】払出制御基板の平面図である。
【図８】主制御基板ケースの斜視図である。
【図９】主制御基板ケースの天蓋の平面図である。
【図１０】主制御基板ケースの底蓋の平面図である。
【図１１】第１副制御基板ケースの斜視図である。
【図１２】第２副制御基板ケースの斜視図である。
【図１３】取り付け板の平面図である。
【図１４】フック部の正面、平面、底面、左右両側面を表す５面図である。
【図１５】払出制御基板ケース及び主制御基板ケースの取り付け手順を示す図である。
【図１６】第２の実施形態を示す図２相当図である。
【図１７】同じく図５相当図である。
【図１８】同じく図６相当図である。
【図１９】同じく図７相当図である。
【図２０】同じく図８相当図である。
【図２１】同じく図９相当図である。
【図２２】同じく図１０相当図である。
【図２３】主制御基板の平面図である。
【図２４】払出制御基板ケース及び主制御基板ケースの取り付け状態を示す斜視図である。
【図２５】第３の実施形態を示す図１相当図である。
【図２６】第４の実施形態に係る遊技機の係止構造などを示す斜視図である。
【図２７】図２６の取り付け板を透視した状態で示す斜視図である。
【図２８】基板ケースを底蓋裏面側から見た斜視図である。
【図２９】図２７に基板ケースを取り付けた状態を示す斜視図である。
【図３０】規制部材の切り欠き部と基板ケースのフック部の位置関係を規制部材の裏側から見た状態で示す図である。
【図３１】第５の実施形態に係る遊技機の係止構造などを示す斜視図である。
【図３２】図３１の取り付け板を透視した状態で示す斜視図である。
【図３３】基板ケースを底蓋裏面側から見た斜視図である。
【図３４】別の基板ケースを底蓋裏面側から見た斜視図である。
【符号の説明】
【００８２】
Ａ，Ｂ    パチンコ機（遊技機）
２    筐体
６    機構枠体
１１，１０１，１１３，１４３    取り付け板
１２，６１，１０２    払出制御基板ケース
１３，６２，１０３    主制御基板ケース
１４，１０４    第１副制御基板ケース
１５，１０５    第２副制御基板ケース
１６，１０６，１１６，１５７    係止構造
２１，３３，４１，４６，７１，８６    天蓋
２２，３４，４２，４７，７２，８７    底蓋
２６，７７    払出制御基板
２９，３７，８１，９４    結合部
３０，３８，８２    突出部（カバー部）
５１，１１４，１４４，１４５    フック部
５２，１１５，１５３，１５４，１５５，１５６    係止孔
５２ａ，１１５ａ，１５３ａ，１５４ａ，１５５ａ，１５６ａ    大孔部
５２ｂ，１１５ｂ，１５３ｂ，１５４ｂ，１５５ｂ，１５６ｂ    スリット部
５３，１０７，１１７，１１８    移動規制手段
７６、９０    コネクタ
８０，９３    開口部
８３，９６    カバー部
９１    主制御基板
１１１，１１２，１４１，１４２    基板ケース
１２３，１３２    規制部材
１２４，１３３    コイルバネ（付勢部材）
１４７，１４８，１４９，１５０    挿入孔
１５２    可動板
【図１】
2008259597.tif 000003
【図２】
2008259597.tif 000004
【図３】
2008259597.tif 000005
【図４】
2008259597.tif 000006
【図５】
2008259597.tif 000007
【図６】
2008259597.tif 000008
【図７】
2008259597.tif 000009
【図８】
2008259597.tif 000010
【図９】
2008259597.tif 000011
【図１０】
2008259597.tif 000012
【図１１】
2008259597.tif 000013
【図１２】
2008259597.tif 000014
【図１３】
2008259597.tif 000015
【図１４】
2008259597.tif 000016
【図１５】
2008259597.tif 000017
【図１６】
2008259597.tif 000018
【図１７】
2008259597.tif 000019
【図１８】
2008259597.tif 000020
【図１９】
2008259597.tif 000021
【図２０】
2008259597.tif 000022
【図２１】
2008259597.tif 000023
【図２２】
2008259597.tif 000024
【図２３】
2008259597.tif 000025
【図２４】
2008259597.tif 000026
【図２５】
2008259597.tif 000027
【図２６】
2008259597.tif 000028
【図２７】
2008259597.tif 000029
【図２８】
2008259597.tif 000030
【図２９】
2008259597.tif 000031
【図３０】
2008259597.tif 000032
【図３１】
2008259597.tif 000033
【図３２】
2008259597.tif 000034
【図３３】
2008259597.tif 000035
【図３４】
2008259597.tif 000036